(57)【要約】      （修正有）【課題】大きな遮音効果を得られると共に、運搬・組立に大きな労力を有する事のない遮音パネルの提供。【解決手段】水密可撓性シートからなる方形の中空パネル２を内包してこの形状を保持する袋体３と、この袋体を吊り下げる吊部とからなる水封遮音ジャケット１を用い、工事現場で液体の注入及び排出を行うことで、運搬等の労力を軽減する。【選択図】図１
2013124529.tif 000002
【特許請求の範囲】
【請求項１】
水密可撓性シートからなる方形の中空パネルであって、
この中空パネルの内部に二以上の分割室を形成すると共に、
前記中空パネルに液体の出入口となる一以上の止栓付き開口と、
前記二以上の分割室を連通する通孔とを設け、
前記中空パネルを内包してこの形状を保持する袋体と、
この袋体を吊り下げる吊部と、からなる水封遮音ジャケット。
【請求項２】
前記開口の一つを、前記中空パネルの一端辺に設けると共に液体を導入し封止する逆止弁を設け、
かつ、前記開口のもう一つを、前記一端辺の対辺に設けることを特徴とする水封遮音ジャケット。
【請求項３】
前記中空パネルを、
二以上の水密可撓性ホースの側面同士を接着して構成し、
これら水密可撓性ホースの開口した両端部を封止して分割室を形成したことを特徴とする請求項１または請求項２に記載の水封遮音ジャケット。
【請求項４】
前記中空パネルを、
対向する水密可撓性シートの外縁部を張り合わせて構成し、
これらシートの対向距離を維持する分割壁を非外縁部に一定間隔で設けて
分割室を形成したことを特徴とする請求項１または請求項２に記載の水封遮音ジャケット。
【請求項５】
前記中空パネルを、
対向する水密可撓性シートの外縁部を張り合わせて構成し、
これらシートの非外縁部を一定間隔で相互に溶着して
分割室を形成したことを特徴とする請求項１または請求項２に記載の水封遮音ジャケット。
【請求項６】
前記吊部が、
前記袋体に巻きまわした吊ベルトからなることを特徴とする請求項１から請求項５のいずれかに記載の水封遮音ジャケット。
【請求項７】
前記袋体が、
前記中空パネルの格納部と並設する吸音材収納ポケットを有することを特徴とする請求項１から請求項６のいずれかに記載の水封遮音ジャケット。
【請求項８】
前記水封遮音ジャケットをパイプ構造体に吊り下げて構成し、
吊り下げた前記ジャケットの一部が、他のジャケットの一部と重なり合っていることを特徴とする請求項１から請求項７のいずれかに記載の遮音壁。
【発明の詳細な説明】
【技術分野】
【０００１】
本発明は、水を封入することで遮音パネルとなる水封遮音ジャケットに関するものである。
【背景技術】
【０００２】
建設工事や土木工事は、周辺地域住民等の生活環境を損なうことがないように十分な配慮のもとに施工されなければならない。特に人口密集地にて行う夜間工事の場合などは、工事に伴う騒音を大幅に引き下げることが求められる。騒音対策は一般的に、騒音源からの騒音の減衰率を吸音材により高める「吸音」対策、また遮音パネルにより騒音源を隔離する「遮音」対策があり、従来このような工事の際には両方を併用して対策していた。
【０００３】
「遮音」の際に用いる遮音パネルは、運搬や組立を考慮して一枚あたりの重量をできるだけ抑える必要があるものの、軽量のものでは大きな遮音効果を得ることができなかった（質量則）。また、遮音効果を高めるために比重の大きな材料（例えば鉄や鉛）からなる遮音パネルは、その運搬・組立に大きな労力を有することとなっていた。これらを考慮して、例えば特許文献１にある水を封入するタイプの遮音パネルも考案されている。
【先行技術文献】
【特許文献】
【０００４】
【特許文献１】特開平７−１８６３３号公開特許公報
【発明の概要】
【発明が解決しようとする課題】
【０００５】
遮音パネルは、軽量のものは大きな遮音効果を得ることができず、また重いものはその運搬・組立に大きな労力を有するという問題があった。また特許文献１にある遮音パネルは、パネルを構成し、水を蓄積する容器の材料がプラスチック等であるため、その部分の重量がかさむと共に、衝撃に弱く運搬時に破損するという問題があった。
【課題を解決するための手段】
【０００６】
本発明は、上記課題を解決すべく次のような技術的手段を講じた。
すなわち、請求項１記載の発明は、水密可撓性シートからなる方形の中空パネルであって、この中空パネルの内部に二以上の分割室を形成すると共に、前記中空パネルに液体の出入口となる一以上の止栓付き開口と、前記二以上の分割室を連通する通孔とを設け、前記中空パネルを内包してこの形状を保持する袋体と、この袋体を吊り下げる吊部と、からなる水封遮音ジャケットである。
【０００７】
また、請求項２記載の発明は、前記開口の一つを、前記中空パネルの一端辺に設けると共に液体を導入し封止する逆止弁を設け、かつ、前記開口のもう一つを、前記一端辺の対辺に設けることを特徴とする水封遮音ジャケットである。
【０００８】
また、請求項３記載の発明は、前記中空パネルを、二以上の水密可撓性ホースの側面同士を接着して構成し、これら水密可撓性ホースの開口した両端部を封止して分割室を形成したことを特徴とする請求項１または請求項２に記載の水封遮音ジャケットである。
【０００９】
また、請求項４記載の発明は、前記中空パネルを、対向する水密可撓性シートの外縁部を張り合わせて構成し、これらシートの対向距離を維持する分割壁を非外縁部に一定間隔で設けて分割室を形成したことを特徴とする請求項１または請求項２に記載の水封遮音ジャケットである。
【００１０】
また、請求項５記載の発明は、前記中空パネルを、対向する水密可撓性シートの外縁部を張り合わせて構成し、これらシートの非外縁部を一定間隔で相互に溶着して分割室を形成したことを特徴とする請求項１または請求項２に記載の水封遮音ジャケットである。
【００１１】
また、請求項６記載の発明は、前記吊部が、前記袋体に巻きまわした吊ベルトからなることを特徴とする請求項１から請求項５のいずれかに記載の水封遮音ジャケットである。
【００１２】
また、請求項７記載の発明は、前記袋体が、前記中空パネルの格納部と並設する吸音材収納ポケットを有することを特徴とする請求項１から請求項６のいずれかに記載の水封遮音ジャケットである。
【００１３】
また、請求項８記載の発明は、前記水封遮音ジャケットをパイプ構造体に吊り下げて構成し、吊り下げた前記ジャケットの一部が、他のジャケットの一部と重なり合っていることを特徴とする請求項１から請求項７のいずれかに記載の遮音壁である。
【発明の効果】
【００１４】
請求項１記載の発明によれば、中空パネルが水密可撓性シートからなることにより、中空パネルを軽くしたり、丸めるなど形状を変形したりすることができ、その運搬や組立にかける労力を低減できる。また、中空パネルの内部を二以上の分割室で形成し分割壁があること、及びこの中空パネルを内包して中空パネルの形状を保持する袋体を有することにより、水などの液体を中空パネルに注入した場合に水封遮音ジャケットの特に下部の形状を保持することができる。
【００１５】
請求項２記載の発明によれば、一端辺を上方へ向け、その対辺を下方に向けてそれぞれに開口を設けることにより、液体の注入と排出を別々の口から行うことができ、作業の容易化を図れる。また、逆止弁を設けることにより、液体を注入する際に内部圧力を保持することができる。
【００１６】
請求項３記載の発明によれば、中空パネルを二以上の水密可撓性ホースの側面同士を接着して構成し、それぞれのホースの開口した両端部を封止して分割室を構成することにより、中空パネルの製作をより容易に行うことができる。
【００１７】
請求項４記載の発明によれば、中空パネルを対向する水密可撓性シートの外縁部を張り合わせ、分割壁を非外縁部に一定間隔で設けて分割室を構成することにより、液体を注入した後の中空パネルの形状を精度よく保持することができる。
【００１８】
請求項５記載の発明によれば、中空パネルを対向する水密可撓性シートの外縁部を張り合わせ、非外縁部を一定間隔で相互に溶着して分割室を構成することにより、より簡易な方法で分割室を構成でき、量産時に中空パネルの製作を容易に行うことができる。
【００１９】
請求項６記載の発明によれば、吊部が袋体に巻きまわした吊ベルトからなることにより、パイプ構造体等に対して、より強固に水封遮音ジャケットを固定することができる。
【００２０】
請求項７記載の発明によれば、袋体に吸音材収納ポケットを有することにより、遮音ジャケットによる遮音の効果だけでなく、吸音材による吸音の効果を合わせて得ることができ、騒音をより低減することができる。
【００２１】
請求項８記載の発明によれば、水封遮音ジャケットをパイプ構造体に吊り下げ、そのジャケットの一部が他のジャケットの一部と重なり合っていることにより、遮音壁を容易に組立することができると共に、音の漏れる部分をなくし、より効果的な遮音を行うことができる。
【図面の簡単な説明】
【００２２】
【図１】本発明に係る水封遮音ジャケットの一実施形態の組立方法を示した斜視図である。
【図２】本発明に係る第一実施形態の中空パネルの側方断面図である。
【図３】図２の中空パネルの製作方法を示す側方断面図である。
【図４】本発明に係る第二実施形態の中空パネルの側方断面図である。
【図５】本発明に係る第三実施形態の中空パネルの側方断面図である。
【図６】本発明に係る水封遮音ジャケットを使用した遮音壁を示した斜視図である。
【図７】本発明に係る第四実施形態の遮音壁の側方断面図である。
【図８】本発明に係る第五実施形態の遮音壁の側方断面図である。
【発明を実施するための形態】
【００２３】
上記技術思想に基づいて具体的に構成された実施の形態について以下に図面を参照しつ
つ説明する。
【００２４】
本発明の一実施形態の斜視図を図１に示す。図１（ａ）は中空パネル２を、（ｂ）はその中空パネル２を内包する袋体３を、（ｃ）は中空パネル２を袋体３に挿入した状態の水封遮音ジャケット１を、（ｄ）は吸音材１５ａを吸音ポケット１５に挿入して構成した水封遮音ジャケット１を示したものである。本発明に係る水封遮音ジャケット１は、水密可撓性シート９を用いて構成する方形の中空パネル２と、この中空パネル２を内包して中空パネル２内に液体が供給されたときにその形状を保持する袋体３と、この袋体３を吊り下げる吊部と、により構成する。水封遮音ジャケット１はパイプ等にぶら下げて使用するので、水封遮音ジャケット１が使用されている姿勢を基準として図１に示しており、本明細書においてはこの図にある水封遮音ジャケット１の長手方向を横方向、上下方向を高さ方向、奥行きを幅方向と称する。水封遮音ジャケット１は通常器械体操で用いるマットのような形状をなし、例えば横方向２ｍ、高さ方向１ｍ、幅方向０．０５ｍ程度の寸法のものがある。この寸法は、水封遮音ジャケット１の用いられ方により複数の種類ものを用意する。また、騒音源の形状によっては、台形形状をしたものもある。
【００２５】
中空パネル２はその内部に二以上の分割室４を形成するようにする。中空パネル２を複数の分割室４に分割するのは、分割室４を構成するための分割壁１０等により液体を封入したときに中空パネル２の平面形状を保持するためである。分割の態様は、その分割室４内部において圧力を一定にするため横方向を長くするように分割する。分割室４の形成方法はさまざまなものが考えられる。
【００２６】
図２に第一実施形態である水密可撓性ホース１１により中空パネル２を構成し液体を封入したときの水封遮音ジャケット１の断面図を、図３に水密可撓性ホース１１による中空パネル２の製作時の断面図を示す。第一実施形態に係る中空パネル２は水密可撓性シートからなる水密可撓性ホース１１の側面同士を接着して構成し、これらの水密可撓性ホース１１の開口した両端部を封止して分割室４としている。
【００２７】
水密可撓性ホース１１は、農業灌漑等に用いられるポリ塩化ビニル製フラットホースを用いる。ポリ塩化ビニル製とするのは、熱溶着等により安価に水密を達成できるからである。また管状のホースでなくフラットホースを用いるのは、液体を入れていないときにはシート状となることにより、変形が容易で折り畳みに便利であるからである。なお水密可撓性ホース１１の材料はこれに限定されるものではない。
【００２８】
中空パネル２を製作する場合、まず水密可撓性ホース１１を中空パネル２の横方向の長さ分で切断する。例えば内径１２５ｍｍのホースを用いて、横方向２ｍ、高さ方向を１ｍ、幅方向０．０２５ｍとする中空パネル２を製作する場合には、水密可撓性ホース１１を２ｍで切断したものを１０本用意する。まず水密可撓性ホース１１の両端を熱溶着する。そして図５に示すように、幅方向分の０．０２５ｍだけ重ね合わせ、その重ねあった部分を接着剤１３で固定し１０本の水密可撓性ホース１１を一体化する。重ね合わせ部分の一部に通孔となる連通孔６を設け、１０本の水密可撓性ホース１１がつながった状態にすることで、１枚の中空パネル２となる。連通孔６は、丸形状であることが一般的であり、全てのホースが接着剤１３により固定された後、中空パネル２を吊り下げて、上方から中空パネル２の一部を熱で溶融することで製作し、最上部の孔は水密可撓性ホース１１と同素材のものを熱溶着により貼り付けて、中空パネル２を水密にする。熱溶着の方法はさまざまであるが、専用の鏝を押し当てて溶着したり、レーザで行ったりする方法などがある。
【００２９】
中空パネル２が水密可撓性シートからなることにより、中空パネル２を軽くすることができると共に、丸めるなど形状を変形したりすることができ、その運搬や組立にかける労力を低減できる。また中空パネル２の内部を二以上の分割室４で形成し分割壁１０があることにより、水などの液体を中空パネル２に注入した場合に水封遮音ジャケット１の形状を保持することができる。
【００３０】
加えて中空パネル２を二以上の水密可撓性ホース１１の側面同士を接着して構成し、それぞれのホースの開口した両端部を封止して分割室４を構成することにより、中空パネル２の製作をより容易に行うことができる。特に量産品に至らないオーダーメイド品の製作をする場合に適している。
【００３１】
中空パネル２の一端辺である上端辺には止栓付き開口を一つ設ける。その開口には止栓に加えて、液体を導入しかつ封止する逆止弁５を設ける。合わせて止栓付き開口であるドレン７を中空パネル２の一端辺であり、上端辺の対辺である下端辺に設ける。一端辺を上方へ向け、その対辺を下方に向けてそれぞれに開口を設けることにより、液体の注入と排出を別々の口から行うことができ、作業の容易化を図れる。また、逆止弁５を設けることにより、液体を注入する際に内部圧力を保持することができる
【００３２】
中空パネル２を袋体３に入れる。袋体３には、中空パネル２の格納部とそれと並設する吸音材収納ポケット１５を設けると共に、袋体３に巻きまわした吊ベルト８を３本事前に縫い合わせて設け、その吊ベルト８の端部には円環を設ける。袋体３はポリエステル帆布で縫い合わされたものであり、中空パネル２に液体が注入されたときにその中空パネル２の格納部にフィットする形状を有する。即ち横方向２ｍ、高さ方向を１ｍ、幅方向０．０２５ｍとする中空パネル２の場合には、袋体３の中空パネル２格納部内部の寸法が横方向２ｍ、高さ方向を１ｍ、幅方向０．０２５ｍとなるように構成する。また、中空パネル２の下端辺に設けたドレン７が袋体３の下端辺と干渉しないように孔を設ける。加えて吸音材収納ポケット１５は、ロックウールや発泡ウレタンなど市販の吸音材１５ａの寸法に合わせた寸法とする。
【００３３】
水封遮音ジャケット１が中空パネル２を内包して中空パネル２の形状を保持する袋体３を有することにより、水などの液体を中空パネル２に注入した場合に水封遮音ジャケット１の形状を保持することが容易になる。特に中空パネル２の下部が幅方向へ膨らむことを防止できる。また、吊部が袋体３に巻きまわした吊ベルト８からなることにより、パイプ構造体等に対して、より強固に水封遮音ジャケット１を固定することができると共に水封遮音ジャケット１自身の重量が吊ベルト８に作用し、特に吊ベルト８が縫製された部分において中空パネル２が幅方向へ膨らむことを防止できる。加えて袋体３に吸音材収納ポケット１５を有し、その中に吸音材１５ａを挿入することにより、遮音の効果だけでなく、吸音材による吸音の効果を合わせて得ることができ、騒音をより低減することができる。
【００３４】
水封遮音ジャケット１の使用態様は以下のようになる。
中空パネル２を水密可撓性ホース１１から製作する。この中空パネル２には連通孔６を設けると共に、その上端辺に逆止弁５を有する止栓付き開口を設け、更に下端辺にドレン７となる止栓付き開口を設けている。別途その中空パネル２の寸法に合わせた袋体３を製作する。袋体３には事前に３本の吊ベルト８を縫い合わせてある。この袋体３に中空パネル２と吸音材１５ａを挿入すると図１（ｄ）に示す第一実施形態の水封遮音ジャケット１が完成する。
【００３５】
遮音壁１４の骨組みを鉄製のパイプ１２等で製作する。そして図６にあるように液体が未注入のまま水封遮音ジャケット１を、吊ベルト８を用いて遮音壁１４のパイプ１２に取り付ける。液体が注入されていない状態では水封遮音ジャケット１の重量は軽く、また丸めたり折り畳んだりできるので作業員一人でも持ち運びや設置が容易である。パイプ１２への設置が終わると下端辺に設けたドレン７の栓が閉まっているのを確認して、逆止弁５を設けた止栓付き開口より液体を注入する。液体は、廃棄する場合を考慮して一般的な水道水や工業用水を用いる場合が多いが、長期間液体の入った状態が持続する場合は防腐剤を混合した水を注入する場合もある。また寒い時期に使用する場合は不凍剤を混合することもある。
【００３６】
中空パネル２の上端辺に設けた逆止弁５により、その内部はある程度圧力をかけた状態に保持する。圧力を保持することで中空パネル２の上部付近の分割室４においてもその形状が一定の形に維持でき、水封遮音ジャケット１の幅方向の寸法が上部と下部とで大きく異なることを防止できるからである。液体を注入後、上部の開口についても栓を行う。また中空パネル２の上部には中空パネル２の内部に残存するエアを取り除くエア取り出し口（図示しない）を設けることも可能である。
【００３７】
遮音壁１４に設けた全ての中空パネル２に液体を注入することによって遮音効果を得ることができ、騒音公害を発生させることなく建設工事や土木工事を行うことができる。
【００３８】
工事が終わった場合には、遮音壁１４に水封遮音ジャケット１を取り付けたまま、水封遮音ジャケット１の下端辺に設けたドレン７から中空パネル２内部の液体を流出させる。そして、液体を流出させることで軽くなった水封遮音ジャケット１を作業員が折り畳み、片付ける。中空パネル２を内包する袋体３が中空パネルを保護することにより、水密を維持する必要がある中空パネルを、設置や片付けの際に傷つけることが少なくなり、水封遮音ジャケット１を長期に亘って使用することが可能となる。
【００３９】
図４に第二実施形態である中空パネル２に液体を封入したときの水封遮音ジャケット１の断面図を示す。第二実施形態にかかる中空パネル２を製作する場合、横方向と高さ方向の長さに幅方向の長さを考慮した水密可撓性シート９を２枚準備する。そしてそのうちのシート一枚の非外縁部に、水密可撓性シート９と同材質の分割壁１０を一定の間隔を保ちながら分割室４の数より１つ少ない枚数を熱溶着する。この場合、熱を適切に水密可撓性シート９に与えるためにレーザを用いるのが望ましい。次に残りのもう一枚のシートに分割壁１０を熱溶着する。次に２枚のシートの外縁同士を熱溶着により張り合わせる。この第二実施形態においては事前に分割壁１０に連通孔を設け、分割室同士は連通した状態とする。また分割壁１０の横方向の長さを中空パネルの横方向の長さよりも短くして、その部分を溶着しないことで分割室同士を連通させることも可能である。分割壁１０の幅方向寸法を全てそろえていることで２枚のシートの対向距離は液体を注入した際に均一に保たれる。中空パネル２を対向する水密可撓性シート９の外縁部を張り合わせ、分割壁１０を非外縁部に一定間隔で設けて分割室４を構成することにより、液体を注入した後の中空パネル２の形状を精度よく保持することができる。また、より簡易な方法で中空パネル２を量産することができる。水密可撓性シート９は水密可撓性ホース１１と同様、ポリ塩化ビニルのものが良好である。
【００４０】
図４に第三実施形態である中空パネル２に液体を封入したときの水封遮音ジャケット１の断面図を示す。第三実施形態にかかる中空パネル２を製作する場合も第二実施形態の場合と同様、所定の寸法の水密可撓性シート９を２枚準備する。そして熱溶着により、２枚の水密可撓性シート９の外縁を張り合わせると共に非外縁部を一定間隔ごとに相互に張り合わせることで分割室４を形成する。非外縁部を溶着する場合において、その端部のいずれかまたはいずれもを溶着しないようにして分割室４同士を連通させる。第三実施形態の中空パネルにおいては、第二実施形態の中空パネル２よりもより簡易な方法で量産することができる。第二実施形態、及び第三実施形態の中空パネル２における開口の設け方等は第一実施形態の中空パネル２と同様であり、使用方法も同様である。
【００４１】
図７に第四実施形態における遮音壁１４の横断面図を示す。図７（ａ）は水封遮音ジャケット１を幅方向に二重に重ねて遮音壁１４を構成したもの、図７（ｂ）は三重に重ねて構成したものを示している。一重の水封遮音ジャケット１だけでは十分に遮音効果を得ることができない場合には、二重・三重に水封遮音ジャケット１を重ねることで遮音効果を得る必要があり、この場合の実施形態を示したものである。二重・三重とすることで、中空パネル２の厚さを増すことによる遮音効果と比較して、より大きな遮音効果を得ることができる。これは、水封遮音ジャケット１が吸音材収納ポケット１５を有し、その中に吸音材１５ａを挿入していることで、中空パネル２同士の間にある吸音材１５ａ分の隙間及びジャケット１間の間隙による遮音効果を得ることができるためである。即ち吸音材１５ａ部分とジャケット１間の間隙による空気層をばね、中空パネル２部分を質量とした共振系が構成されるためであり、これにより高周波数帯の遮音性能が向上する。
【００４２】
第四実施形態においては、一重目と二重目の水封遮音ジャケット１の高さを変えるように設置する。このように設置することで上下に設置する水封遮音ジャケット１同士の間で遮音性能が得られない部分、例えばパイプ部分が騒音源に対して露出することをなくすことが可能となり、遮音壁１４の遮音性能が向上する。加えて、第三実施形態の中空パネル２を使用した場合であっても、水密可撓性シート９を溶着した部分の位置が一重目と二重目の水封遮音ジャケット１の間で異なり、遮音壁１４の遮音性能がより向上する。
【００４３】
図８に第五実施形態における遮音壁１４の横断面図を示す。遮音壁を、水封遮音ジャケット１をパイプ構造体に吊り下げて構成する場合には、パイプ部分にはなんら遮音効果がないことから、この部分から音が漏れ出し遮音壁１４の効果を十分に得られない。よって水封遮音ジャケット１を上下左右に並べて遮音壁１４を構成する場合に、遮音効果のある水封遮音ジャケット１の一部が、他の水封遮音ジャケット１の一部と幅方向で重なっているように設置する。このように水封遮音ジャケット１を設置することで、一重の水封遮音ジャケットで遮音壁１４を構成する場合でも十分な遮音効果を得ることができる。
【００４４】
水封遮音ジャケット１が吸音材収納ポケット１５を有する実施形態について説明したが、このポケットを有しない実施の形態を採用することも可能である。この場合、水封遮音ジャケット１の幅方向の寸法を小さくでき、水封遮音ジャケット１を二重・三重で使用する場合に有利になる。また、袋体３に吸音材１５ａを貼り付ける態様のものも考えられる。
【００４５】
水封遮音ジャケット１を二重・三重に使用した遮音壁の場合、騒音源にもっとも近い水封遮音ジャケット１のみに吸音材１５ａを入れることも可能である。
【符号の説明】
【００４６】
１  水封遮音ジャケット
２  中空パネル
３  袋体
４  分割室
５  逆止弁
６  連通穴
７  ドレン
８  吊ベルト
９  水密可撓性シート
１０  分割壁
１１  水密可撓性ホース
１２  パイプ
１３  接着剤
１４  遮音壁
１５  吸音材収納ポケット
１５ａ  吸音材
【図１】
2013124529.tif 000003
【図２】
2013124529.tif 000004
【図３】
2013124529.tif 000005
【図４】
2013124529.tif 000006
【図５】
2013124529.tif 000007
【図６】
2013124529.tif 000008
【図７】
2013124529.tif 000009
【図８】
2013124529.tif 000010